(57)【要約】      （修正有）【課題】簡便かつ安価に庫内の温度を一定に保持できる発芽器を提供する。【解決手段】周壁に断熱材５が設けられ前面側が開口する筐体１と、内部に断熱材が設けられ筐体の開口部を開閉する扉２と、筐体の内部に設けられたトレイ３と、筐体の内部に冷気を循環させる冷却システム４と、を有する。速やかに設置でき、設置費用の抑制を図ることができるとともに、筐体及び扉を断熱構造としたことにより、温度管理を容易に行うことができる。【選択図】図１
0003193561.tif 000002
【実用新案登録請求の範囲】
【請求項１】
断熱材（５）が設けられ前面側が開口する筐体（１）と、断熱材（５）が設けられ前記筐体（１）の開口部を開閉する扉（２）と、前記筐体（１）の内部に設けられたトレイ（３）と、前記筐体（１）の内部に冷気を循環させる冷却システム（４）と、を有する発芽器。
【請求項２】
前記冷却システム（４）が、前記筐体（１）の上部に設けられている請求項１に記載の発芽器。
【考案の詳細な説明】
【技術分野】
【０００１】
この考案は、花や野菜等の種を所定温度に保持して発芽・成長させるための発芽器に関する。
【背景技術】
【０００２】
花や野菜等の種を発芽させるとともに、その苗が所定の大きさになるまで成長させるために、装置内の温度が冷却装置やヒータでコントロールされた発芽器が用いられることがある。この発芽器として、例えば図２に示すように、植物工場等の現地において筐体１００をプレハブ工法で設営し、この筐体１００にその内部の温度調整を行うための空調システム１０１を取り付け、筐体１００の内部に、水に浸した状態の種を発芽させる複数のトレイ１０２を支持するラック１０３を設けたものがある。
【０００３】
また、図３に示すように、フレームを組み立てて筐体２００を構成するとともに、シート部材２０１でこの筐体２００を覆い、この筐体２００に、冷却装置２０２と複数のトレイ２０３を設けたものもある。なお、筐体２００の上部に丸めた状態で置かれているシート部材２０１は、トレイ２０３を筐体２００の内部に収納した後に、この筐体２００の前面を覆うように、この前面の上端部から吊下げられる。
【０００４】
図２及び図３に示すもの以外にも、プレハブ式の筐体を採用する構成として、例えば特許文献１に示すものが、シート部材で筐体を覆う構成として、例えば特許文献２に示すものがある。
【先行技術文献】
【特許文献】
【０００５】
【特許文献１】特開２０１４−２９５８４号公報
【特許文献２】特開平６−１９７６４４号公報
【考案の概要】
【考案が解決しようとする課題】
【０００６】
特許文献１や図２に記載のプレハブ式のものは、現地におけるプレハブ工法による設営工事や、冷却器又は冷凍機の設置、筐体の内部へのラックの設置等のように非常に煩雑な作業を必要とし、設置費用が高額になりやすい問題がある。また、特許文献２や図３に記載のシート部材を用いるものは、シート部材自体の断熱性が不十分であることが多く、さらに設置場所の周囲の風に吹かれてシート部材が揺れた場合に、シート部材と筐体の開口部との間の隙間から、シート部材内外の空気が出入りして、シート部材内の温度安定性が損なわれる問題がある。
【０００７】
そこで、この考案は、簡便かつ安価に庫内の温度を一定に保持する設備を提供することを課題とする。
【課題を解決するための手段】
【０００８】
上記の課題を解決するため、この考案は、断熱材が設けられ前面側が開口する筐体と、断熱材が設けられ前記筐体の開口部を開閉する扉と、前記筐体の内部に設けられたトレイと、前記筐体の内部に冷気を循環させる冷却システムと、を有する発芽器を構成した。
【０００９】
このように構成することにより、プレハブ式の場合と比較して、発芽器を速やかに設置することができ、設置費用の抑制を図ることができる。さらに、筐体と扉に断熱材を設けたことにより、シート部材で筐体を覆った場合と比較して、筐体内の温度管理を容易に行うことができるとともに、温度保持のための消費電力の抑制を図ることもできる。この断熱材の種類は適宜決めることができるが、例えば発泡ウレタンを採用することができる。
【００１０】
前記構成においては、前記冷却システムが、前記筐体の上部に設けられている構成とするのが好ましい。
【００１１】
発芽器は、筐体内に水を張ったトレイを収納するようになっているが、発芽器に振動が加わる等の原因で、その水がトレイから溢れることが生じ得る。この水が冷却システムや電源ユニット等の機器に触れると、この機器の故障等の不具合を引き起こす恐れがある。本構成のように、冷却システムを筐体の上部に設けることにより、万が一トレイから水が溢れたとしても、この溢れた水によって機器の不具合を生じる恐れはない。
【考案の効果】
【００１２】
この考案は、断熱材が設けられ前面側が開口する筐体と、断熱材が設けられ前記筐体の開口部を開閉する扉と、前記筐体の内部に設けられたトレイと、前記筐体の内部に冷気を循環させる冷却システムと、を有する発芽器を構成した。このように構成することにより、発芽器を速やかに設置でき、設置費用の抑制を図ることができるとともに、筐体及び扉を断熱構造としたことにより、筐体内の温度管理を容易に行うことができる。
【図面の簡単な説明】
【００１３】
【図１】本願考案に係る発芽器の実施形態を示し、（ａ）は正面図、（ｂ）は本図（ａ）中のｂ−ｂ線に沿う断面図、（ｃ）は本図（ａ）中のｃ−ｃ線に沿う断面図
【図２】従来技術に係る発芽器の一実施形態を示し、（ａ）は斜視図、（ｂ）は正面図、（ｃ）は側面図
【図３】従来技術に係る発芽器の他実施形態を示す斜視図
【考案を実施するための形態】
【００１４】
本願考案に係る発芽器を図１に示す。この発芽器は、前面側が開口する筐体１と、この筐体１の開口部を開閉する扉２と、筐体１の内部（以下、庫内という。）に設けられたトレイ３と、庫内に冷気を循環させる冷却システム４と、を主要な構成要素としている。
【００１５】
筐体１の左右及び背面の壁部、底部、及び天板は、外側鋼板１ａと内側鋼板１ｂとから構成され、両鋼板１ａ、１ｂの間には、発泡ウレタンが注入されることによって断熱材５が構成されている。また、扉２も外側鋼板２ａと内側鋼板２ｂとから構成され、両鋼板２ａ、２ｂの間には、同様に断熱材５が設けられている。この扉２は、観音開き式となっている。扉２の前面中央寄りに設けられた取っ手６を握って２枚の扉２、２を開くことによって、筐体１の開口部が大きく開口するため、トレイ３を筐体１からスムーズに出し入れすることができる。筐体１の開口部の左右両側には、扉スイッチ７が設けられている。この扉スイッチ７に扉２が近接又は離間することにより、この扉２の開閉状態が検知され、扉２の開状態時に庫内照明８が点灯するようになっている。
【００１６】
トレイ３は、庫内に設けられたトレイ受け９によって支持されている。トレイ３同士の上下間隔は、下段側に設置したトレイ３で育成中の植物の上端が、上段側に設置したトレイ３の下面になるべく接触しないように、発芽・育成する植物の種類に応じて適宜変更することができる。
【００１７】
冷却システム４は、筐体１の上部に設けられている。この冷却システム４は、圧縮機１０、凝縮器１２、膨張弁、及び気化器１１から構成される。なお、図１（ｂ）においては、膨張弁の図示を省略している。
【００１８】
凝縮器１２には凝縮器ファンが併設されており、吸気口１３から取り込んだ空気で凝縮器１２を冷却するようになっている。圧縮機１０近傍を通過した空気は、排気口１４から排気される（本図中に矢印ｆ１で示す空気の流れを参照）。気化器１１には、庫内ファン１５が併設されている。この庫内ファン１５で庫内の冷気を循環しつつ、気化器１１でその冷気を所定の温度に冷却している（本図中の矢印ｆ２で示す空気の流れを参照）。この気化器１１の近傍には、ドレン排水管１６が設けられている。冷却に伴って気化器１１に付着した水滴は、このドレン排水管１６を通って、発芽器の筐体１背面側の下部から筐体１外に排出される。
【００１９】
筐体１の底部には、トラップ付排水口１７が設けられている。トレイ３から溢れた水は、このトラップ付排水口１７から筐体１外に排出される。このトラップ付排水口１７内には少量の水を貯めておくことができるトラップが設けられており、このトラップ付排水口１７を通って、害虫が庫内に入り込めないようになっている。また、このトラップ付排水口１７として排水能力が高いタイプのものを採用することにより、庫内に散水して洗浄することも可能となる。
【００２０】
筐体１の上部の前面パネル１８には、表示装置１９が設けられ、この表示装置１９に庫内温度等の情報が表示されるようになっている。筐体１の背面側には、電源コード２０とアース線２１が設けられている。また、筐体１の下部には脚部２２とキャスタ２３が設けられており、このキャスタ２３により、発芽器を所望の場所に自在に移動させることができる。
【００２１】
なお、本図には記載されていないが、例えば、庫内底部にヒータを設けることにより、冬季に庫内温度を上げて、種の発芽を促すようにすることもできる。
【００２２】
また、上記に示した発芽器の実施形態はあくまでも一例であって、簡便かつ安価に庫内の温度を一定に保持する設備を提供する、という本願考案の課題を解決し得る限りにおいて、各部材の形状や配置等を適宜変更することができる。
【符号の説明】
【００２３】
１  筐体
２  扉
３  トレイ
４  冷却システム
５  断熱材
６  取っ手
７  扉スイッチ
８  庫内照明
９  トレイ受け
１０  圧縮機
１１  気化器
１２  凝縮器
１３  吸気口
１４  排気口
１５  庫内ファン
１６  ドレン排水管
１７  トラップ付排水口
１８  前面パネル
１９  表示装置
２０  電源コード
２１  アース線
２２  脚部
２３  キャスタ
【図１】
0003193561.tif 000003
【図２】
0003193561.tif 000004
【図３】
0003193561.tif 000005